(57)【特許請求の範囲】
【請求項１】
端末部の一面側に硬質な補強板と、この補強板に係止部とを備えたＦＰＣ／ＦＦＣと、
箱形状を有する本体の正面側に開口する端末収容部と、
可撓性を有し、係合位置と係合解除位置との間を揺動可能に形成されたロックアームと、
該端末収容部に該ＦＰＣ／ＦＦＣの該端末部が収容された状態で、該補強板の該係止部と対向する該ロックアーム上の部位に、該係止部と係合可能に配置された係合部と、
該係合部の正面側に該端末収容部に該端末部を挿入する方向に対して斜めに形成された係合斜面と、
該ロックアームに形成される解除受部と、を備えたコネクタハウジングと、
該コネクタハウジングに回動自在に配置され、カムからなる係合解除部を具備するロック解除部材とからなり、
該端末部を該端末収容部に挿入した際に、該ロックアームが弾性変形して、該係合部が該補強板上を乗越えて該係止部と係合し、
該ロックアームが係合位置へ弾性復帰する際の弾性力によって該係止部と該係合部とを係合保持するとともに、該端末部を該端末収容部内面に付勢保持し、
該係止部と該係合部とが係合した状態で、該ロック解除部材を回動させると、該係合解除部が該解除受部に押接して、該ロックアームが係合位置から係合解除位置に変位し、該係止部と該係合部との係合が解除されることを特徴とするコネクタ。 
【発明の詳細な説明】
【技術分野】
【０００１】
本発明は、フレキシブルプリント回路基板（ＦＰＣ）用、およびフレキシブルフラットケーブル（ＦＦＣ）用のコネクタに関するコネクタ。
【背景技術】
【０００２】
この種の従来のコネクタとして、例えば、特許文献１〜特許文献５に開示されたものが知られている。特許文献１のコネクタ１００は、図１３に示すように、ＦＰＣ１０１とＦＰＣ１０１の端部に付設した補強板１０２とをコネクタハウジング１０３の端末収容部１０４に挿入したとき、補強板１０２の係止穴１０５に端末収容部１０４内の係合突起１０６が係止されることにより、ＦＰＣ１０１の端部がコネクタハウジング１０３に挿入された状態でロックされる。
【０００３】
特許文献２のコネクタ１１０は、図１４に示すように、ＦＦＣ１１１とＦＦＣ１１１の端部に付設した補強板１１２とをコネクタハウジング１１３の端末収容部に挿入したとき、スライダ１１４で補強板１１２を押え付けることにより、補強板１１２の係止穴１１５に、コネクタハウジング１１３内の係合突起が圧入されるので、ＦＦＣ１１１の端部がコネクタハウジング１１３に挿入された状態でロックされる。
【０００４】
特許文献３のコネクタ１２０は、図１５に示すように、ＦＰＣ１２１の端部に付設される補強板１２２と、コネクタハウジング１２３に回動自在に設けられるロック部材１２４とを備え、コネクタハウジング１２３および閉じた状態のロック部材１２４間でＦＰＣ１２１および補強板１２２を挟持することにより、ＦＰＣ１２１の端部がコネクタハウジング１２３に装着された状態でロックされる。
【０００５】
特許文献４のコネクタ１３０は、図１６に示すように、コネクタハウジング１３１に回動自在に設けられるロック部材１３２を備え、ＦＰＣ１３３の端部をコネクタハウジング１３１の端末収容部１３４に挿入したとき、コネクタハウジング１３１および閉じた状態のロック部材１３２間でＦＰＣ１３３を挟持することにより、ＦＰＣ１３３の端部がコネクタハウジング１３１の端末収容部１３４に挿入された状態でロックされる。
【０００６】
特許文献５のコネクタ１４０は、図１７に示すように、コネクタハウジング１４１に回動自在に設けられるロック部材１４２と、コネクタハウジング１４１の幅方向両端部に設けられ、ＦＰＣ１４３の位置を規制する規制板１４４とを備えて、規制板１４４によりＦＰＣ１４３の位置を規制した状態で、ＦＰＣ１４３の端部をコネクタハウジング１４１に装着し、コネクタハウジング１４１および閉じた状態のロック部材１４２間でＦＰＣ１４３を挟持することにより、ＦＰＣ１４３の端部がコネクタハウジング１４１に装着された状態でロックされる。
【特許文献１】実開平６−４４０５７号公報
【特許文献２】特開２００１−２５０６１９号公報
【特許文献３】特開２００３−３４６９４７号公報
【特許文献４】特開２０００−３１５５３６号公報
【特許文献５】特開２００７−１９４０１７号公報
【発明の開示】
【発明が解決しようとする課題】
【０００７】
しかしながら、特許文献１のコネクタ１００の構造は、コネクタハウジング１０３に対してＦＰＣ１０１端部の補強板１０２を正しい位置で配置して、補強板１０２の係止穴１０５にコネクタハウジング１０３の係合突起１０６を係止させるので、ＦＰＣ１０１をコネクタハウジング１０３に組み込むにはノウハウや経験が必要であるとともに、コネクタハウジング１０３の構造が複雑であるので厚さ方向の寸法が大きくなる問題がある。
【０００８】
特許文献２のコネクタ１１０の構造は、コネクタハウジング１１３に対してＦＦＣ１１１端部の補強板１１２を正しい位置で配置して、補強板１１２の係止穴１１５にコネクタハウジング１１３の係合突起を圧入させるので、ＦＦＣ１１１をコネクタハウジング１１３に組み込むにはノウハウや経験が必要であるとともに、コネクタハウジング１１３にコンタクト群とＦＦＣ１１１および補強板１１２とスライダ１１４の舌片１１４ａとを重ねる構造となるため、厚さ方向の寸法が大きくなる問題がある。
【０００９】
特許文献３のコネクタ１２０は、コネクタハウジング１２３に回動自在に設けられるロック部材１２４を備え、コネクタハウジング１２３にコンタクト群とＦＰＣ１２１および補強板１２２とロック部材１２４とを重ねる構造となるため、厚さ方向の寸法が大きくなる問題がある。
【００１０】
特許文献４のコネクタ１３０は、コネクタハウジング１３１に回動自在に設けられるロック部材１３２を備え、コネクタハウジング１３１にコンタクト群とＦＰＣ１３３とロック部材１３２とを重ねる構造となるため、厚さ方向の寸法が大きくなる問題がある。
【００１１】
特許文献５のコネクタ１４０は、コネクタハウジング１４１に回動自在に設けられるロック部材１４２を備え、コネクタハウジング１４１にコンタクト群とＦＰＣ１４３とロック部材１４２とを重ねる構造となるため、厚さ方向の寸法が大きくなる問題がある。
【００１２】
そこで、本発明は、前記した課題を解決すべくなされたものであり、厚さ方向の寸法を大きくすることなく、ＦＰＣ／ＦＦＣの接続作業および離脱作業を容易にできるコネクタを提供することを目的とする。
【課題を解決するための手段】
【００１３】
請求項１の発明は、
端末部の一面側に硬質な補強板と、この補強板に係止部とを備えたＦＰＣ／ＦＦＣと、箱形状を有する本体の正面側に開口する端末収容部と、可撓性を有し、係合位置と係合解除位置との間を揺動可能に形成されたロックアームと、該端末収容部に該ＦＰＣ／ＦＦＣの該端末部が収容された状態で、該補強板の該係止部と対向する該ロックアーム上の部位に、該係止部と係合可能に配置された係合部と、該係合部の正面側に該端末収容部に該端末部を挿入する方向に対して斜めに形成された係合斜面と、該ロックアームに形成される解除受部と、を備えたコネクタハウジングと、該コネクタハウジングに回動自在に配置され、カムからなる係合解除部を具備するロック解除部材とからなり、該端末部を該端末収容部に挿入した際に、該ロックアームが弾性変形して、該係合部が該補強板上を乗越えて該係止部と係合し、該ロックアームが係合位置へ弾性復帰する際の弾性力によって該係止部と該係合部とを係合保持するとともに、該端末部を該端末収容部内面に付勢保持し、該係止部と該係合部とが係合した状態で、該ロック解除部材を回動させると、該係合解除部が該解除受部に押接して、該ロックアームが係合位置から係合解除位置に変位し、該係止部と該係合部との係合が解除されることを特徴とする。 
【発明の効果】
【００１４】
以上説明したように、請求項１の発明によれば、ＦＰＣ／ＦＦＣの端末部が硬質な補強板によって補強されたことで、ＦＰＣ／ＦＦＣの端末部をコネクタハウジングの端末収容部へ正確に挿入することが容易になる。
【００１５】
また、ロックアームを撓ませて、補強板の係止部とロックアームの係合部とを係合保持するので、接続作業が簡潔になるとともに、ロック解除部材を回動させることで、係止部と係合部との係合が解除されるので、接続解除作業も簡潔にできる。
【００１６】
端末部とコネクタハウジングとの電気的接触を保持するために別部材を必要としないため、厚さ方向の寸法を小さくすることができる。
【発明を実施するための最良の形態】
【００１７】
以下、本発明の一実施形態を図面に基づいて説明する。図１〜図１２は本発明の一実施形態を示し、図１はコネクタを分離した状態を示す斜視図、図２は端末部をコネクタハウジングに挿入した状態を示す斜視図、図３はロック解除部材を操作した状態を示す斜視図、図４は図２のＡ−Ａ線に沿った断面図で、図４（ａ）は端末部をコネクタハウジングに挿入する前の状態を示す断面図、図４（ｂ）は端末部が係合突起に当接した状態を示す断面図、図４（ｃ）はロックアームが押し上げられる状態を示す断面図、図４（ｄ）は端末部がコンタクトに当接した状態を示す断面図、図４（ｅ）は端末部の係合穴に係合突起が接近した状態を示す断面図、図４（ｆ）は端末部がコネクタハウジングに挿入完了した状態を示す断面図、図５は図２のＢ−Ｂ線に沿った断面図で、図５（ａ）は端末部をコネクタハウジングに挿入する前の状態を示す断面図、図５（ｂ）は端末部が係合突起に当接した状態を示す断面図、図５（ｃ）はロックアームが押し上げられる状態を示す断面図、図５（ｄ）は端末部がコンタクトに当接した状態を示す断面図、図５（ｅ）は端末部の係合穴に係合突起が接近した状態を示す断面図、図５（ｆ）は端末部がコネクタハウジングに挿入完了した状態を示す断面図、図６はロック解除部材を操作した状態を示す図２のＡ−Ａ線に沿った断面図、図７はロック解除部材を操作した状態を示す図２のＢ−Ｂ線に沿った断面図、図８はロック解除部材を操作した状態を示す図２のＣ−Ｃ線に沿った断面図、図９は端末部がコネクタハウジングに挿入完了した状態を示す図２のＣ−Ｃ線に沿った断面図、図１０はコネクタハウジングおよびロック解除部材の分解斜視図、図１１はコネクタを分離した状態を示す図２のＢ−Ｂ線に沿った断面図、図１２はコネクタを分離した状態を示す図２のＡ−Ａ線に沿った断面図である。
【００１８】
本願のコネクタ１は、図１に示すように、フレキシブルプリント回路基板（ＦＰＣ）１０、またはフレキシブルフラットケーブル（ＦＦＣ）の端末部１１と、さまざまな装置本体の基板（図示せず）上に配置されるコネクタハウジング２０と、コネクタハウジング２０に回動自在に設けられるロック解除部材４０とから構成されている。
【００１９】
ＦＰＣ１０、およびＦＦＣは、フィルム状の柔軟性を有する絶縁体上に電気回路、および配線が配索されている。そして、これらＦＰＣ／ＦＦＣ１０のコネクタハウジング２０に接続される端末部１１には、その一面側に硬質な補強板１２が配置されている。また、補強板１２には、矩形状の係止穴（係止部）１３が形成されている。
【００２０】
コネクタハウジング２０は、箱形状を有する本体２１を備えるとともに、本体２１の正面側に開口し、複数のコンタクト２３が収容される端末収容部２２が形成されている。また、本体２１には、ロックアーム３０とロック解除部材４０が配設されている。
【００２１】
ロックアーム３０は、本体２１上面の幅方向両端部に配置され、背面側から正面側に延びる可撓腕部３１と、これら可撓腕部３１の端部を連結する連結部３２とから構成されている。可撓腕部３１は、可撓性を有し、係合位置と係合解除位置との間を揺動可能に形成されている。また、連結部３２には、端末収容部２２にＦＰＣ／ＦＦＣ１０の端末部１１が収容された状態で、補強板１２の係止穴１３と対向する部位に、係止穴１３と係合可能に係合部としての係合突起３３が設けられている。係合突起３３の正面側には、端末収容部２２に端末部１１を挿入する方向Ｘに対して斜めに形成された係合斜面３４が形成されている。
【００２２】
ロック解除部材４０は、略楕円形状に形成され、本体２１の幅方向両端部よりそれぞれ外側へ突出する回動軸４１に回動自在に設けられる一対のカム部（係合解除部）４２と、各カム部４２より回動軸４１の外径方向へ延びる操作レバー４３と、これら一対の操作レバー４３の端部を連結する連結部４４とから構成されている。操作レバー４３は、端末部１１の挿入方向Ｘに沿う状態にあるロック位置と挿入方向Ｘに直交する方向に起立するロック解除位置との間を回動可能に設けられている。図４、図５および図９に示すように、操作レバー４３が上記ロック位置にあるとき、カム部４２は連結部３２の幅方向両端部の解除受部３５を押圧しない状態にある。一方、図６〜図８に示すように、操作レバー４３を上記ロック解除位置まで起立させると、カム部４２のカムリフト量が大きくなって解除受部３５を押し上げるようになっている。
【００２３】
次に、図４〜図９を用いて、ＦＰＣ／ＦＦＣ１０の端末部１１をコネクタハウジング２０に接続、解除する手順について説明する。まず、端末部１１を端末収容部２２に向かって配置する（図４（ａ）および図５（ａ））。端末部１１が端末収容部２２に挿入された後（図４（ｂ）および図５（ｂ））、端末部１１がさらに挿入されて、端末部先端１１ａが係合突起３３の係合斜面３４に当接する（図４（ｃ）および図５（ｃ））と、可撓腕部３１を弾性変形させて係合解除位置へ押し上げて、係合突起３３が補強板１２に乗上げる（図４（ｄ）および図５（ｄ））。さらに端末部１１を挿入すると、係合突起３３が補強板１２上を乗越えて（図４（ｅ）および図５（ｅ））、端末部１１が端末収容部２２に配置され、可撓腕部３１が弾性復帰し、係合突起３３と係止穴１３とが係合し、接続が完了する（図４（ｆ）、図５（ｆ）および図９）。このとき、ロック解除部材４０の操作レバー４３はロック位置にあり、端末部１１の挿入方向Ｘに沿って横たわる状態にある。
【００２４】
接続が完了した状態にあるコネクタ１の操作レバー４３をロック解除方向へ回動させると、カム部４２のカムリフト量が大きくなって連結部３２の幅方向両端部の解除受部３５を押し上げるので、可撓腕部３１を弾性変形させて係合解除位置へ押し上げ、係合突起３３が補強板１２に乗上げ、係止穴１３と係合突起３３との係合が解除される（図６〜図８）。この状態のまま、ＦＰＣ／ＦＦＣ１０の端末部１１を引き抜くとコネクタハウジング２０とＦＰＣ／ＦＦＣ１０の端末部１１とが分離し、接続が解除される。端末部１１およびコネクタハウジング２０のロック状態が解除される。
【００２５】
上記構成のコネクタでは、ＦＰＣ／ＦＦＣの端末部が硬質な補強板によって補強されたことで、ＦＰＣ／ＦＦＣの端末部をコネクタハウジングの端末収容部へ正確に挿入することが容易になる。
【００２６】
また、ロックアームを撓ませて、補強板の係止部とロックアームの係合部とを係合保持するので、接続作業が簡潔になるとともに、ロック解除部材を回動させることで、係止部と係合部との係合が解除されるので、接続解除作業も簡潔にできる。
【００２７】
端末部とコネクタハウジングとの電気的接触を保持するために別部材を必要としないため、厚さ方向の寸法を小さくすることができる。
【００２８】
なお、本実施形態では、補強板に形成した矩形状の係止穴を係止部とする構成としたが、このような係止穴を形成せずに、補強板の後端を係止部として、係合部を係合させる構成としても同様の作用効果が得られる。
【図面の簡単な説明】
【００２９】
【図１】本発明の一実施形態を示し、コネクタを分離した状態を示す斜視図である。
【図２】本発明の一実施形態を示し、端末部をコネクタハウジングに挿入した状態を示す斜視図である。
【図３】本発明の一実施形態を示し、ロック解除部材を操作した状態を示す斜視図である。
【図４】本発明の一実施形態を示し、図２のＡ−Ａ線に沿った断面図で、（ａ）は端末部をコネクタハウジングに挿入する前の状態を示す断面図、（ｂ）は端末部が係合突起に当接した状態を示す断面図、（ｃ）はロックアームが押し上げられる状態を示す断面図、（ｄ）は端末部がコンタクトに当接した状態を示す断面図、（ｅ）は端末部の係合穴に係合突起が接近した状態を示す断面図、（ｆ）は端末部がコネクタハウジングに挿入完了した状態を示す断面図である。
【図５】本発明の一実施形態を示し、図２のＢ−Ｂ線に沿った断面図で、（ａ）は端末部をコネクタハウジングに挿入する前の状態を示す断面図、（ｂ）は端末部が係合突起に当接した状態を示す断面図、（ｃ）はロックアームが押し上げられる状態を示す断面図、（ｄ）は端末部がコンタクトに当接した状態を示す断面図、（ｅ）は端末部の係合穴に係合突起が接近した状態を示す断面図、（ｆ）は端末部がコネクタハウジングに挿入完了した状態を示す断面図である。
【図６】本発明の一実施形態を示し、ロック解除部材を操作した状態を示す図２のＡ−Ａ線に沿った断面図である。
【図７】本発明の一実施形態を示し、ロック解除部材を操作した状態を示す図２のＢ−Ｂ線に沿った断面図である。
【図８】本発明の一実施形態を示し、ロック解除部材を操作した状態を示す図２のＣ−Ｃ線に沿った断面図である。
【図９】本発明の一実施形態を示し、端末部がコネクタハウジングに挿入完了した状態を示す図２のＣ−Ｃ線に沿った断面図である。
【図１０】本発明の一実施形態を示し、コネクタハウジングおよびロック解除部材の分解斜視図である。
【図１１】本発明の一実施形態を示し、コネクタを分離した状態を示す図２のＢ−Ｂ線に沿った断面図である。
【図１２】本発明の一実施形態を示し、コネクタを分離した状態を示す図２のＡ−Ａ線に沿った断面図である。
【図１３】第１従来例のコネクタを示す断面図である。
【図１４】第２従来例のコネクタを示す分解斜視図である。
【図１５】第３従来例のコネクタを示す分解斜視図である。
【図１６】第４従来例のコネクタを示す断面図である。
【図１７】第５従来例のコネクタを示す斜視図である。
【符号の説明】
【００３０】
１…コネクタ
１０…ＦＰＣ／ＦＦＣ
１１…端末部
１２…補強板
１３…係止穴（係止部）
２０…コネクタハウジング
２１…本体
２２…端末収容部
２３…コンタクト
３０…ロックアーム
３３…係合突起（係合部）
３４…係合斜面
３５…解除受部
４０…ロック解除部材
４２…カム部（係合解除部）
４３…操作レバー
【図１】
0005121569.tif 000002
【図２】
0005121569.tif 000003
【図３】
0005121569.tif 000004
【図４】
0005121569.tif 000005
【図５】
0005121569.tif 000006
【図６】
0005121569.tif 000007
【図７】
0005121569.tif 000008
【図８】
0005121569.tif 000009
【図９】
0005121569.tif 000010
【図１０】
0005121569.tif 000011
【図１１】
0005121569.tif 000012
【図１２】
0005121569.tif 000013
【図１３】
0005121569.tif 000014
【図１４】
0005121569.tif 000015
【図１５】
0005121569.tif 000016
【図１６】
0005121569.tif 000017
【図１７】
0005121569.tif 000018